(57)【要約】【課題】電圧制御発振器から出力される発振信号の発振周波数にかかわらず電圧制御発振器の位相雑音を最適化する位相雑音最適化方法および位相雑音最適化装置を提供する。【解決手段】電圧制御発振器の発振信号を平滑化した検出電圧値を生成する。電圧制御発振器から出力される発振信号の出力振幅と位相雑音との関係によって示される位相雑音が最適となる出力振幅に基づいて設定された基準電圧値の範囲と検出電圧値とを比較して、比較結果に応じた判定信号を出力する。判定信号に基づいて電圧制御発振器の電流源のスイッチの開／閉を制御する電流切り替え信号を生成して出力することで出力振幅が安定し、位相雑音が最適となる。【選択図】図２
2008219432.tif 000002
【特許請求の範囲】
【請求項１】
電圧制御発振器から出力される発振信号の出力振幅と位相雑音との関係を利用した電圧制御発振器の位相雑音最適化方法であって、
電圧制御発振器の発振信号を平滑化した検出電圧値を生成し、
前記関係より導き出される位相雑音が最適となる出力振幅に基づいて設定された基準電圧値の範囲と前記検出電圧値とを比較して、前記比較結果に応じた判定信号を出力し、
前記判定信号に基づいて電圧制御発振器の電流源のスイッチの開／閉を制御する電流切り替え信号を生成して出力する、
ことを特徴とする電圧制御発振器の位相雑音最適化方法。
【請求項２】
電圧制御発振器から出力される発振信号の出力振幅と位相雑音との関係を利用した電圧制御発振器の位相雑音最適化方法であって、
前記電圧制御発振器における増幅回路の相互コンダクタンスを測定し、
前記関係より導き出される位相雑音が最適となる出力振幅に基づき設定された相互コンダクタンスの基準値の範囲と前記測定された値とを比較して、前記比較結果に応じた判定信号を出力し、
前記判定信号に基づいて前記電圧制御発振器の電流源のスイッチの開／閉を制御する電流切り替え信号を生成して出力する、
ことを特徴とする電圧制御発振器の位相雑音最適化方法。
【請求項３】
電圧制御発振器の位相雑音を最適化する位相雑音最適化装置であって、
前記電圧制御発振器から出力される発振信号を平滑化して検出電圧値を生成する出力検出部と、
電圧制御発振器から出力される発振信号の出力振幅と位相雑音との関係によって示される位相雑音が最適となる出力振幅に基づく基準電圧値の範囲が設定される基準電圧源と、
前記基準電圧値の範囲と前記検出電圧値とを比較し、前記比較結果に応じた判定信号を出力する出力比較・判定部と、
前記判定信号に基づいて前記電圧制御発振器の電流源のスイッチの開／閉を制御する電流切り替え信号を生成して出力する制御部と、
を含むことを特徴とする位相雑音最適化装置。
【請求項４】
前記制御部が、前記判定信号に基づいて前記電流源のスイッチの開／閉を設定するためのレジスタを具備していることを特徴とする請求項３記載の位相雑音最適化装置。
【請求項５】
電圧制御発振器の位相雑音を最適化する位相雑音最適化装置であって、
増幅回路の相互コンダクタンスを測定する出力測定部と、
電圧制御発振器から出力される発振信号の出力振幅と位相雑音との関係によって示される位相雑音が最適となる出力振幅に基づいて設定された相互コンダクタンスの基準値の範囲と前記測定された値とを比較し、前記比較結果に基づく判定信号を出力する出力比較・判定部と、
前記判定信号に基づいて前記電圧制御発振器の電流源のスイッチの開／閉を制御する電流切り替え信号を生成して出力する制御部と、
を含むことを特徴とする位相雑音最適化装置。
【請求項６】
前記制御部が、前記判定信号に基づいて前記電流源のスイッチの開／閉を設定するためのレジスタを具備していることを特徴とする請求項５記載の位相雑音最適化装置。
【発明の詳細な説明】
【技術分野】
【０００１】
本発明は、電圧制御発振器の位相雑音を最適化する技術に関する。
【背景技術】
【０００２】
従来、電圧制御発振器（Voltage Controlled Oscillator：ＶＣＯ）の位相雑音を最適化するための調整がなされている。ところが、電圧制御発振器ごとにこのような調整を行うためには工数を必要とする。そこで、特許文献１〜４に示すような位相雑音を最適化するための技術が開示されている。
【０００３】
特許文献１は、電圧制御発振器の制御電圧に応じて電流を可変させ、位相雑音の発生を抑制する技術を開示している。
特許文献２は、ビットエラーレートに基づいて電圧制御発振器の電流を制御することで増幅回路の位相雑音を所定のレベルに維持する技術を開示している。
【０００４】
特許文献３は、共振タンク回路の共振周波数で発振または増幅する増幅回路の前段階に発振信号バンドを可変させる容量切り替えバンド回路と、容量切り替えバンドによって選択された発振信号バンドに応じて増幅回路に適した電流に切り替える電流切り替え回路を組み込むことで、各発振信号バンドにおいて最適な電流を増幅回路に流して広帯域で良好な位相雑音特性を可能にする技術を開示している。
【０００５】
特許文献４は、電圧制御発振器においてトランジスタのコレクタ出力振幅を検波し、検波されたコレクタ出力振幅に応じてコレクタバイアス電圧を変化させて出力振幅を安定させて位相雑音を低減する技術を開示している。
【０００６】
しかしながら、特許文献１は、制御電圧を利用した消費電流を切り替える方式を採用しており、低い発振周波数において電流を増やし出力振幅を大きくすることで相対的に位相雑音を小さくできるが、電流を増やしすぎた場合は逆に位相雑音が大きくなってしまう。
【０００７】
また、特許文献２は、ビットエラー（ＢＥＲ）を検出して消費電流を切り替える方式を採用しているために複雑な制御回路が必要になる。
特許文献３は、発振周波数と制御電圧をレジスタで調整するための容量切り替え方式を採用しているためにさらなる回路構成が必要となる。
【０００８】
特許文献４は、出力レベルを検波してバイアスを制御するためにアナログ回路でバイアスを切り替えるアナログ制御方式を採用している。
以上の特許文献１〜４では、位相雑音を最適化するために、回路が複雑かつ大規模になるという問題がある。
【特許文献１】特開２００１−３１３５２７号公報
【特許文献２】特開２００３−２０９４６９号公報
【特許文献３】特開２００６−８６７４０号公報
【特許文献４】特開平１１−１６３６３１号公報
【発明の開示】
【発明が解決しようとする課題】
【０００９】
本発明は上記のような実状を鑑みてなされたものであり、電圧制御発振器から出力される発振信号の発振周波数にかかわらず、電圧制御発振器の位相雑音を最適化することができる位相雑音最適化方法および位相雑音最適化装置を提供することを目的とする。
【課題を解決するための手段】
【００１０】
本発明の位相雑音最適化方法では、電圧制御発振器の発振信号を平滑化した検出電圧値を生成する。次に、電圧制御発振器から出力される発振信号の出力振幅と位相雑音との関係によって示される位相雑音が最適となる出力振幅に基づいて設定された基準電圧値の範囲と検出電圧値とを比較して、比較結果に応じた判定信号を出力する。そして、判定信号に基づいて電圧制御発振器の電流源のスイッチの開／閉を制御する電流切り替え信号を生成して出力する。
【００１１】
この方法により、増幅回路に流れる電流値が変わり、位相雑音が最適となる出力振幅となることで電圧制御発振器の位相雑音を最適化することができる。
本発明の位相雑音最適化方法の別の態様としては、電圧制御発振器における増幅回路の相互コンダクタンスを測定する。次に、電圧制御発振器から出力される発振信号の出力振幅と位相雑音との関係によって示される位相雑音が最適となる出力振幅に基づき設定された相互コンダクタンスの基準値の範囲と測定された値とを比較して、比較結果に応じた判定信号を出力する。そして、判定信号に基づいて電圧制御発振器の電流源のスイッチの開／閉を制御する電流切り替え信号を生成して出力する。
【００１２】
この方法により、増幅回路に流れる電流値が変わり、位相雑音が最適となる出力振幅となることで電圧制御発振器の位相雑音を最適化することができる。
本発明の電圧制御発振器の位相雑音を最適化する位相雑音最適化装置は、電圧制御発振器から出力される発振信号を平滑化して検出電圧値を生成する出力検出部と、電圧制御発振器から出力される発振信号の出力振幅と位相雑音との関係によって示される位相雑音が最適となる出力振幅に基づく基準電圧値が設定される基準電圧源と、基準電圧値の範囲と検出電圧値とを比較し、比較結果に応じた判定信号を出力する出力比較・判定部と、判定信号に基づいて電圧制御発振器の電流源のスイッチの開／閉を制御する電流切り替え信号を生成して出力する制御部を含んで構成される。
【００１３】
この構成によって増幅回路に流れる電流値が変わり、位相雑音が最適となる出力振幅となることで電圧制御発振器の位相雑音を最適化することができる。
さらに制御部は、判定信号に基づいて電流源のスイッチの開／閉を設定するためのレジスタを備えていることが望ましい。
【００１４】
このようにレジスタを備えることで、電流源のスイッチの開／閉をデジタル制御によって制御することができる。
本発明の電圧制御発振器の位相雑音を最適化する位相雑音最適化装置の別の態様としては、増幅回路の相互コンダクタンスを測定する出力測定部と、電圧制御発振器から出力される発振信号の出力振幅と位相雑音との関係によって示される位相雑音が最適となる出力振幅に基づいて設定された相互コンダクタンスの基準値の範囲と測定された値とを比較し、比較結果に基づく判定信号を出力する出力比較・判定部と、判定信号に基づいて電圧制御発振器の電流源のスイッチの開／閉を制御する電流切り替え信号を生成して出力する制御部を含んで構成される。
【００１５】
この構成によって増幅回路に流れる電流値が変わり、位相雑音が最適となる相互コンダクタンスを得ることで電圧制御発振器の位相雑音を最適化することができる。
さらに制御部は、判定信号に基づいて電流源のスイッチの開／閉を設定するためのレジスタを備えていることが望ましい。
【００１６】
このようにレジスタを備えることで、電流源のスイッチの開／閉をデジタル制御によって制御することができる。
【発明の効果】
【００１７】
本発明によれば、電圧制御発振器から出力される発振信号の出力振幅または電圧制御発振器における増幅回路の相互コンダクタンスを用いることで電圧制御発振器の位相雑音を最適化することができる。
【発明を実施するための最良の形態】
【００１８】
本発明の実施形態の説明では、図１で例示される電圧制御発振器から出力される発振周波数ごとにおける位相雑音（１ｋＨｚ離調）と発振信号の出力振幅との関係を利用する。
図１を参照すると、発振信号の発振周波数にかかわらず破線範囲内の出力振幅で位相雑音が最適となるのでそれを利用する。なお、図１の発振信号の発振周波数は、電圧制御発振器に外部から制御電圧ＶＴを供給することで変えている。
【００１９】
以下、図面に基づいて本発明の第１の実施形態と第２の実施形態を説明する。
［実施形態１］
本発明の第１の実施形態として、電圧制御発振器が構成された状態において位相雑音を最適化する方法および装置を以下に説明する。本明細書中で述べる「位相雑音が最適となる」とは、位相雑音が出力振幅に対して相対的に小さくなることを意味する。
【００２０】
以下、図１〜図４を参照して本発明の第１の実施形態を説明する。
図２は、電圧制御発振器の位相雑音を最適化するために用いられる位相雑音最適化装置の全体構成である。
【００２１】
位相雑音最適化装置は、電圧制御発振器１と、電圧制御発振器１の位相雑音を最適化するための制御部６、基準電圧源７、出力検出部８、出力比較・判定部９で構成される。
電圧制御発振器１は、直流電源２に接続されている電流源回路３、増幅回路４、共振回路５によって構成される。
【００２２】
次に各構成部の接続を説明する。
直流電源２は、電圧制御発振器１の電源であり、電流源回路３に接続されている。
電流源回路３は、主電流源と複数のスイッチに対応した複数の電流源によって構成されており、直流電源２と制御部６と増幅回路４に接続されている。
【００２３】
増幅回路４は、ＭＯＳトランジスタＴｒ１、Ｔｒ２から構成され、Ｔｒ１とＴｒ２のソースは、電流源回路３に接続されている。Ｔｒ１のゲートは、Ｔｒ２のドレインと接続され、Ｔｒ２のゲートは、Ｔｒ１のドレインと接続されている。
【００２４】
共振回路５は、インダクタＬ１、Ｌ２、コンデンサＣ１、可変容量コンデンサＣ２、Ｃ３から構成され、Ｌ１、Ｃ１、Ｃ２の一方は、Ｔｒ１のドレインと接続されている。Ｃ１、Ｌ２、Ｃ３の他方は、Ｔｒ２のドレインと接続されている。また、Ｌ１の他方はＬ２の一方およびＧＮＤに接続されており、Ｃ２の他方はＣ３の一方および制御電圧ラインに接続されている。
【００２５】
このような構成をすることで電圧制御発振器１は、発振信号を出力端子ＯＵＴ１、ＯＵＴ２から出力する。ここでの発振信号の出力振幅は、増幅回路４において電流源回路３から供給される電流値で定まる相互インダクタンスと共振回路５における共振インピーダンスなどによって決まる。
【００２６】
制御部６は、ローカルバイアスレジスタ（Local BIAS register；ＬＯＢＩＡＳレジスタ）を含んで構成されており、出力比較・判定部９と電流源回路３に接続されている。ここでのローカルバイアスレジスタは、後述するように電流源回路３から増幅回路４に供給する電流値を設定することができる。
【００２７】
基準電圧源７は、出力比較・判定部９に接続されている。
出力検出部８は、発振信号の出力振幅を平滑化する回路、例えば全波整流回路または半波整流回路、ローパスフィルタ回路などで構成されており、出力比較・判定部９と電圧制御発振器１の出力端子ＯＵＴ１、ＯＵＴ２に接続されている。
【００２８】
出力比較・判定部９は、制御部６と基準電圧源７と出力検出部８に接続されている。
以上が、位相雑音最適化装置の全体構成である。
次に、図１に示される位相雑音特性を利用して図２の位相雑音最適化装置で位相雑音を最適化するための方法と各構成部の一連の動作を説明する。
【００２９】
図１の破線範囲で示される位相雑音の最適となる出力振幅の範囲内に電圧制御発振器１からの発振信号の出力振幅を合わせることで位相雑音を最適化することができることがわかる。この出力振幅は、電流源回路３から増幅回路４に供給される電流値によって決定されるので、電流源回路３の電流値をデジタル制御するために、制御部６においてローカルバイアスレジスタを備えている。
【００３０】
以下では、制御部６におけるローカルバイアスレジスタと電流源回路３との関係について説明する。
図３は、制御部６におけるローカルバイアスレジスタと電流源回路３の複数の電流源との関係を模式的に示している図である。
【００３１】
制御部６におけるローカルバイアスレジスタは、電流源回路３を構成している複数の電流源ＩＳ１〜ＩＳｎの各スイッチＳＷ１〜ＳＷｎの開／閉を制御するための値（レジスタ値［ｄｅｃ］）を記録する。そして、制御部６から出力される電流切り替え信号により、電流源回路３の各スイッチＳＷ１〜ＳＷｎの開／閉が制御されて増幅回路４に供給される電流の電流値を変えることができる。例えば、レジスタ値＝２［ｄｅｃ］ならＳＷ１とＳＷ２が閉、レジスタ値＝４［ｄｅｃ］ならＳＷ１〜ＳＷ４が閉となる。
【００３２】
次に、発振信号の出力振幅と電流値、すなわち出力振幅とローカルバイアスレジスタのレジスタ値との関係を用いて位相雑音を最適化することを説明する。
図４は、電圧制御発振器１に制御電圧ＶＴ＝２．０Ｖが供給され、発振周波数８２ＭＨｚの発振信号を出力する際の発振信号の出力振幅とローカルバイアスレジスタとの関係を例示している。本図では、縦軸を出力振幅［Ｖｐｐｄ］とし、横軸をローカルバイアスレジスタのレジスタ値［ｄｅｃ］としている。
【００３３】
図４から、ローカルバイアスレジスタのレジスタ値が４〜６［ｄｅｃ］のとき、発振信号の出力振幅を２．０〜２．４[Ｖｐｐｄ]にできることが分かる。
そして、ローカルバイアスレジスタ値を４〜６［ｄｅｃ］の範囲にするために、基準電圧源７に出力振幅の範囲２．０〜２．４［Ｖｐｐｄ］に対応する基準電圧値の範囲を設定する。例えば、出力振幅２．０［Ｖｐｐｄ］と２．４［Ｖｐｐｄ］の中間である出力振幅２．２［Ｖｐｐｄ］の発振信号を全波整流回路または半波整流回路とローパスフィルタ回路など有する出力検出部８で全波整流もしくは半波整流して平滑化することで直流電圧値を得て、得られた直流電圧値を基準電圧値として設定し、基準電圧値の前後に特定の閾値を設定することで基準電圧値に範囲を設ける。
【００３４】
ここで、本実施形態では、電圧制御発振器1の位相雑音を最適化することを説明するために、例えば図３における電流源ＩＳ０＋ＩＳ１の電流値の電流が電流源回路３から増幅回路４に供給されて発振信号が出力されているとする。
【００３５】
出力検出部８は、電圧制御発振器1から出力されている発振信号の出力振幅を全波整流回路または半波整流回路を用いて全波整流または半波整流した後、ローパスフィルタ回路などにより平滑化して検出電圧値を生成する。そして、生成した検出電圧値を出力比較・判定部９に出力している。
【００３６】
出力比較・判定部９は、基準電圧源７に設定された基準電圧値の範囲内に出力検出部８から出力された検出電圧値がおさまるか否かを判定する。すなわち、図１に示した出力振幅の破線範囲内に発振信号の出力振幅がおさまっているか否かを判定する。
【００３７】
もし検出電圧値が設定された基準電圧値の範囲内におさまっていれば、出力振幅が位相雑音の最適となる出力振幅の範囲内にあるので電流源回路３の電流値の設定を完了する。
もし検出電圧値が設定された基準電圧値の範囲内におさまっていなければ、検出電圧値を基準電圧値の範囲内におさまるように変えるために、制御部６のローカルバイアスレジスタのレジスタ値［ｄｅｃ］を変える判定信号を生成し、制御部６へ出力する。
【００３８】
制御部６は、取得した判定信号に基づいてローカルバイアスレジスタのレジスタ値［ｄｅｃ］を変える。そして、ローカルバイアスレジスタの値に基づいて電流源回路３に設けられた複数のスイッチＳＷ１〜ＳＷｎの開／閉を制御する電流切り替え信号を電流源回路３に出力する。例えば、図３における電流源ＩＳ０＋ＩＳ１の電流値をＩＳ０＋ＩＳ１＋ＩＳ２の電流値に変化させる場合、現在のレジスタ値＝１［ｄｅｃ］からレジスタ値＝２［ｄｅｃ］へ書き替えることでＳＷ１とＳＷ２が閉となるように電流切り替え信号が制御部から出力される。
【００３９】
電流源回路３は、取得した電流切り替え信号に基づいて複数の電流源ＩＳ１〜ＩＳｎに対応したスイッチＳＷ１〜ＳＷｎを切り替えることで増幅回路４に供給される電流値を変える。
【００４０】
このような動作を繰り返して、検出電圧値が基準電圧値の範囲内におさまることで電圧制御発振器１の電流源回路３から増幅回路４に供給される電流値の設定を完了する。
なお、電流源回路３における電流値の設定が完了した後の電圧制御発振器１の運用中に、出力比較・判定部９において検出電圧値が基準電圧値の範囲外になった場合、逐次上記のような位相雑音の最適化を行ってもよい。
【００４１】
以上より、位相雑音が最適となる出力振幅の範囲を利用して、その出力振幅の範囲になるようにローカルバイアスレジスタのレジスタ値［ｄｅｃ］を制御することで位相雑音が最適となる出力振幅の範囲内に出力振幅が保たれ、発振周波数にかかわらず位相雑音を最適化することができる。
【００４２】
この方法の利点として、評価の難しい位相雑音自体を用いず、評価のしやすい発振信号の出力振幅を用いることで位相雑音を最適化できる。
また、この方法を用いることでウェハレーザートリミングなどを行わずに位相雑音を最適化することができる。
【００４３】
さらに、位相雑音を最適化する際に用いる位相雑音最適化装置の構成も簡単であり、制御部６においてローカルバイアスレジスタを用いることでデジタル制御により電流源回路３の電流値を変えることができる。
［実施形態２］
本発明の第２の実施形態では、共振回路５を接続しない状態、すなわち発振動作をさせない状態で位相雑音を最適化する方法を図５と図６を参照して説明する。
【００４４】
図５は、本発明の第２の実施形態として位相雑音を最適化するための電圧制御発振器８１を含んだ位相雑音最適化装置の全体構成を示している。
図５に示す構成は、第１の実施形態の電圧制御発振器１において、共振回路５を利用者が後で接続する場合などを想定した構成である。
【００４５】
第２の実施形態の位相雑音最適化装置は、電圧制御発振器８１と、電圧制御発振器８１の位相雑音を最適にするための制御部６、出力測定部８２、出力比較・判定部８３で構成されている。電圧制御発振器８１は、直流電源２、電流源回路３、増幅回路４により構成されている。電圧制御発振器８１および制御部６の各構成部は、第１の実施形態と同様なので説明を省略する。
【００４６】
出力測定部８２は、増幅回路４の相互コンダクタンスｇｍの値を測定するＤＣテスターなどであり、増幅回路４と出力比較・判定部８３に接続されている。
以下では、図１に示される出力振幅と位相雑音との関係を利用して、図５の位相雑音最適化装置で電圧制御発振器８１の位相雑音を最適化する方法と各構成部の一連の動作を説明する。
【００４７】
図６は、図５に示した電圧制御発振器８１における増幅回路４の相互コンダクタンスｇｍと制御部６のローカルバイアスレジスタとの関係を示している。縦軸は相互コンダクタンスｇｍの値［ｍＳ］、横軸はローカルバイアスレジスタのレジスタ値［ｄｅｃ］を示している。なお、図６に示されるような関係は、電圧制御発振器８１の回路設計によって得る事ができる。
【００４８】
ここで、増幅回路４に接続される共振回路が第1の実施形態の共振回路５と同一であるとすると、ローカルバイアスレジスタのレジスタ値［ｄｅｃ］を、図４の４〜６［ｄｅｃ］と同じ値に設定すれば、位相雑音が最適となる発振信号の出力振幅の範囲２．０〜２．４［Ｖｐｐｄ］にすることができる。
【００４９】
そして、図６からローカルバイアスレジスタのレジスタ値と相互コンダクタンスｇｍの関係が得られることより、ローカルバイアスレジスタのレジスタ値を４〜６［ｄｅｃ］に設定した時の増幅回路４の相互コンダクタンスｇｍの値は３〜４．２［ｍＳ］であることが分かる。
【００５０】
従って、相互コンダクタンスｇｍを３〜４．２［ｍＳ］の範囲に設定すれば、電圧制御発振器８１の位相雑音を最適にすることができる。
そこで、相互コンダクタンスｇｍの基準値の範囲として、この位相雑音が最適となる範囲３〜４．２［ｍＳ］を出力比較・判定部８３に設定する。
【００５１】
一方で、第２の実施形態においても、第１の実施形態と同様に位相雑音の最適化を説明する例として図５に示される電流源回路３から増幅回路４に電流源ＩＳ０＋ＩＳ１の電流が供給されているとする。
【００５２】
増幅回路４では、電流源回路３から供給される電流値に基づいて相互コンダクタンスｇｍが決定される。
出力測定部８２では、増幅回路４の相互コンダクタンスｇｍをＤＣテスターなどで測定し、その測定値を出力比較・判定部８３に出力する。
【００５３】
出力比較・判定部８３では、設定された相互コンダクタンスｇｍの基準値の範囲である３〜４．２[ｍＳ]に出力測定部８２で測定された相互コンダクタンスｇｍの測定値が入るか否かを判定する。
【００５４】
もし相互コンダクタンスｇｍの測定値が設定された基準値の範囲内におさまっていれば、位相雑音が最適となるので電圧制御発振器の電流源回路３の電流値の設定を完了する。
もし相互コンダクタンスｇｍの測定値が基準値の範囲内におさまっていなければ、電流源回路３の電流値を変化させるための判定信号を制御部６に出力する。
【００５５】
制御部６は、判定信号を取得し、ローカルバイアスレジスタのレジスタ値［ｄｅｃ］を変化させた電流切り替え信号を電流源回路３に出力する。
電流源回路３は、制御部６から取得した電流切り替え信号に基づいて複数の電流源ＩＳ１〜ＩＳｎに対応した各スイッチＳＷ１〜ＳＷｎの開／閉の切り替えを行うことで電流値を変化させる。例えば、開状態であったスイッチＳＷ２を閉じることで、電流源回路３の出力電流を、電流源ＩＳ０＋ＩＳ１の電流値から電流源ＩＳ０＋ＩＳ１＋ＩＳ２の電流値に変化させることができる。
【００５６】
このようにして変化した電流（例えば、電流源ＩＳ０＋ＩＳ１＋ＩＳ２の電流値）によって増幅回路４の相互コンダクタンスｇｍが変化する。
上述の一連の動作が繰り返され、相互コンダクタンスｇｍの測定値が、基準値の範囲（３〜４．２[ｍＳ]）内におさまるように制御されることで電流源回路３の電流値の設定が完了する。なお、電流源回路３の電流値の設定が完了した後の電圧制御発振器８１において、出力比較・判定部８３の相互コンダクタンスｇｍの測定値が基準値の範囲外になった場合にも逐次上記の位相雑音を最適化する方法を繰り返してもよい。
【００５７】
以上のように出力測定部８２で相互コンダクタンスｇｍを測定し、出力比較・判定部８３で相互コンダクタンスｇｍの基準値の範囲と測定値とを比較した結果によって制御部６で電流源回路３を制御する電流切り替え信号を出力することによって位相雑音が最適となる相互コンダクタンスの範囲に近づけることができ、位相雑音を最適化することができる。
【００５８】
また、位相雑音それ自体あるいは出力振幅を評価せずに増幅回路の相互コンダクタンスｇｍを測定するだけでよいので、複雑な手順をふまずに位相雑音を最適化することができる利点がある。
【図面の簡単な説明】
【００５９】
【図１】発振周波数ごとの位相雑音と出力振幅との関係を示す図である。
【図２】第１の実施形態における電圧制御発振器１を含んだ位相雑音最適化装置の全体構成の概略図である。
【図３】制御部６のローカルバイアスレジスタと電流源回路３の複数の電流源との関係を模式的に示している図である。
【図４】発振信号の出力振幅とローカルバイアスレジスタのレジスタ値との関係を示す図である。
【図５】第２の実施形態における電圧制御発振器８１を含んだ位相雑音最適化装置の全体構成の概略図である。
【図６】増幅回路４の相互コンダクタンスとローカルバイアスレジスタのレジスタ値との関係を示す図である。
【符号の説明】
【００６０】
１・・・第１の実施形態における電圧制御発振器、  ２・・・直流電源、  ３・・・電流源回路、  ４・・・増幅回路、  ５・・・共振回路、  ６・・・制御部、  ７・・・基準電圧源、  ８・・・出力検出部、  ９・・・出力比較・判定部、  ８１・・・第２の実施形態における電圧制御発振器、  ８２・・・出力測定部、  ８３・・・出力比較・判定部、  Ｔｒ１，Ｔｒ２・・・ＭＯＳトランジスタ、  Ｌ１，Ｌ２・・・インダクタ、  Ｃ１・・・コンデンサ、  Ｃ２，Ｃ３・・・可変容量コンデンサ、  ＯＵＴ１，ＯＵＴ２・・・出力端子、  ＳＷ１〜ＳＷｎ・・・スイッチ、  ＩＳ０〜ＩＳｎ・・・各スイッチに対応させた電流源
【図１】
2008219432.tif 000003
【図２】
2008219432.tif 000004
【図３】
2008219432.tif 000005
【図４】
2008219432.tif 000006
【図５】
2008219432.tif 000007
【図６】
2008219432.tif 000008